(57)【要約】【課題】汚れを避け、鏡の大型化も可能であるように、携帯電話に鏡を実装する。【解決手段】鏡１４は、携帯電話１の使用時に汚れにくい第一本体１０（操作キー２２が設けられている第二本体２０は手に持ったりするので汚れやすい）の裏面１０ｂに配置されているので、携帯電話１の使用時であっても鏡１４は汚れにくい。しかも、第一本体１０が第二本体２０と向かい合う場合は鏡１４と操作キー２２とが向かい合わせになるので、第一本体１０が第二本体２０と向かい合う場合（例えば、携帯電話１を使用していない時）でも鏡１４は汚れにくい。【選択図】　図１
2004104205.tif 000002
【特許請求の範囲】
【請求項１】
表側に配置された表示部および裏側に配置された鏡を有する第一本体と、
操作部を有する第二本体と、
前記第一本体および前記第二本体を回転できるように接続する接続手段と、
を備え、
前記接続手段は、前記第一本体が回転する際には前記第一本体の表裏関係が一定に保たれるようにし、前記第一本体が前記第二本体と向かい合う場合は前記鏡と前記操作部とを向かい合わせにする、
携帯情報通信端末。
【請求項２】
請求項１に記載の携帯情報通信端末であって、
前記第二本体は、
前記操作部の裏側に配置されたカメラレンズを有する、
携帯情報通信端末。
【請求項３】
請求項２に記載の携帯情報通信端末であって、
前記カメラレンズは前記第二本体の角部に配置されている、
携帯情報通信端末。
【請求項４】
請求項３に記載の携帯情報通信端末であって、
前記鏡は、前記第一本体が前記第二本体と向かい合う場合に前記角部により覆われる部分に配置される、
携帯情報通信端末。
【請求項５】
請求項１に記載の携帯情報通信端末であって、
前記第一本体は、前記第二本体と向かい合う面上に前記第二本体に覆われない露出部分を有し、
前記鏡の少なくとも一部が前記露出部分に配置されている、
携帯情報通信端末。
【発明の詳細な説明】
【０００１】
【発明の属する技術分野】
本発明は、携帯通信端末における鏡の実装に関する。
【０００２】
【従来の技術】
従来より、携帯電話等の携帯情報通信端末において、鏡を取り付けることが提案されている。例えば、スティックタイプ（折り畳むことができない形式）の携帯電話（特許文献１の図４参照）およびフリップタイプ（操作ボタンを覆う蓋がある形式）の携帯電話（特許文献１の図２参照）において、操作ボタンおよび表示部を避けて鏡を実装することが提案されている。具体的には、スティックタイプの携帯電話の操作ボタンの裏側にあたる本体の面上に鏡を実装する。また、フリップタイプの携帯電話の蓋の裏側に鏡を実装する。この蓋は携帯電話の本体の下部にちょうつがいで止められている。そして、この蓋を開けることにより鏡を使用できる。
【０００３】
また、近年カメラ機能を有する携帯電話が普及している。このような携帯電話で使用者自身を撮影する場合に自身の位置確認を行うことができることが好ましい。そこで、カメラのレンズ脇に小型の鏡を実装する場合がある。カメラのレンズは、操作ボタンの裏側にあたる本体の面上に配置されている。よって、小型の鏡もまた操作ボタンの裏側にあたる本体の面上に配置される。
【０００４】
【特許文献１】
特開平１１−１５０５９０号公報（図２、４）
【発明が解決しようとする課題】
しかしながら、従来技術における鏡の実装法には問題点がある。
【０００５】
特許文献１に提案されているような方法で、スティックタイプの携帯電話に鏡を実装すれば、携帯電話の操作の妨げにはならない。しかし、鏡を実装した部分を持たなければならず、鏡が手の皮脂等により汚れてしまう。
【０００６】
特許文献１に提案されているような方法で、フリップタイプの携帯電話に鏡を実装すれば、鏡が手の皮脂等により汚れてしまうことは回避できそうである。しかし、携帯電話の下部には音声通話のためのマイクが実装されている。よって、マイクに向かって話す際に、唾液等が鏡に付着して汚れてしまう。
【０００７】
カメラのレンズ脇に小型の鏡を実装する方法では、鏡は操作ボタンの裏側にあたる本体の面上に配置される。鏡は小さいので、鏡を実装した部分を持たなくても携帯電話を使用でき、鏡が手の皮脂等により汚れてしまうことを避けられる。しかし、鏡を大型化できないため（大型化すれば鏡が汚れる）、鏡を自身撮影の際の位置確認用にしか使用できない。
【０００８】
したがって、従来技術における鏡の実装法には、（１）鏡を大型化すれば、汚れを避けられない、（２）鏡を小型化すれば、用途が制約される、といった問題点がある。
【０００９】
そこで、本発明は、汚れを避け、鏡の大型化も可能であるように、携帯電話等に鏡を実装することを課題とする。
【００１０】
【課題を解決するための手段】
本発明は携帯情報通信端末に関する。本発明に係る携帯情報通信端末は、第一本体、第二本体、接続手段を備える。
【００１１】
第一本体は、表側に配置された表示部および裏側に配置された鏡を有する。第二本体は、操作部を有する。接続手段は、第一本体および第二本体を回転できるように接続する。なお、接続手段は、第一本体が回転する際には第一本体の表裏関係が一定に保たれるようにし、第一本体が第二本体と向かい合う場合は鏡と操作部とを向かい合わせにする。
【００１２】
上記のように構成された発明によれば、鏡は、携帯情報通信端末の使用時に汚れにくい第一本体の裏側に配置されているので、携帯情報通信端末の使用時であっても鏡は汚れにくい。しかも、第一本体が第二本体と向かい合う場合は鏡と操作部とが向かい合わせになるので、第一本体が第二本体と向かい合う場合（例えば、使用していない時）でも鏡は汚れにくい。
【００１３】
なお、本発明に係る携帯情報通信端末は、第二本体が操作部の裏側に配置されたカメラレンズを有することが好ましい。さらに、カメラレンズは第二本体の角部に配置されていることが好ましい。
【００１４】
上記のように構成された発明によれば、第一本体と第二本体とが完全に向かい合っている状態から少し第一本体または第二本体をずらすだけで、カメラレンズと、カメラレンズの近傍の鏡とを同時に使用できる。これは、例えば、自身を撮影する際に便利である。
【００１５】
さらに、本発明に係る携帯情報通信端末は、第一本体が第二本体と向かい合う場合に角部により覆われる部分に鏡が配置されるようにしてもよい。
【００１６】
上記のように構成された発明によっても、カメラレンズとカメラレンズの近傍の鏡とを同時に使用できる。
【００１７】
また、本発明に係る携帯情報通信端末は、第一本体が、第二本体と向かい合う面上に第二本体に覆われない露出部分を有しているようにしてもよい。このとき、鏡の少なくとも一部が露出部分に配置されているものとする。
【００１８】
上記のように構成された発明によれば、鏡は、携帯情報通信端末の使用時に汚れにくい第一本体に配置されているので、携帯情報通信端末の使用時であっても鏡は汚れにくい。しかも、露出部分は第二本体と向かい合う面上にあるので、手が触れにくいなどといったことが生じ、汚れにくい。
【００１９】
【発明の実施の形態】
以下、本発明の実施の形態を図面を参照して説明する。
【００２０】
第一の実施形態
図１は、本発明の第一の実施形態にかかる携帯電話１の平面図（図１（ａ））、側面図（図１（ｂ））、底面図（図１（ｃ））である。
【００２１】
携帯電話１は、第一本体１０、第二本体２０、接続軸３０を備える。
【００２２】
第一本体１０は表示部１２、鏡１４、スピーカ１６を有する。
【００２３】
表示部１２は、ＬＣＤなどにより構成され、メッセージ等を表示する。表示部１２は、第一本体１０の表面１０ａに設けられている。なお、表示部１２は、後述するカメラレンズ２４により撮影されるであろう被写体の画像も表示する。
【００２４】
鏡１４は、第一本体１０の裏面１０ｂに設けられている。鏡１４の大きさは、裏面１０ｂの大きさにほぼ等しい。
【００２５】
スピーカ１６は、第一本体１０の表面１０ａの上端（接続軸３０から離れた側、図１（ａ）においては右側）に設けられている。スピーカ１６は、電話の相手の音声を発する。
【００２６】
第二本体２０は操作キー（操作部）２２、カメラレンズ２４、シャッター２６、マイク２８を有する。
【００２７】
操作キー（操作部）２２は、電話番号等を打ち込むこと等に使用する。操作キー２２は、例えば、テンキーである。操作キー２２は、第二本体２０の表面２０ａに設けられている。
【００２８】
カメラレンズ２４は、被写体を撮影するためのレンズである。カメラレンズ２４は、第二本体２０の裏面２０ｂの角部（裏面２０ｂの隣接する二辺が交わる部分）に設けられている。より詳細には、カメラレンズ２４は、第二本体２０において第一本体１０と接続されている部分から離れている方の角部に設けられている。
【００２９】
シャッター２６は、被写体の撮影開始を指示する。シャッター２６は押しボタンであり、押すと撮影が行われる。シャッター２６は、第二本体２０の側面に配置される。より詳細には、シャッター２６は、カメラレンズ２４近傍の側面とは反対側の側面に配置される。
【００３０】
マイク２８は、第二本体２０の表面２０ａの下端（接続軸３０から離れた側、図１（ａ）においては左側）に設けられている。マイク２８は、携帯電話１のユーザの音声を取得して、電気信号に変換する。これにより、電話の相手に、自分の音声を聞かせることができる。
【００３１】
接続軸３０は、第一本体１０および第二本体２０を接続する軸である。第一本体１０は、接続軸１０を中心として矢印（図１（ａ）、（ｃ）参照）の方向に回転することができる。なお、第二本体４０も接続軸３０を中心として回転することができる。なお、接続軸３０は第一本体１０および第二本体２０を上下にほぼ貫通している。なお、接続軸３０の近傍で、第一本体１０の裏面１０ｂと第二本体２０の表面２０ａとが向かい合っている。
【００３２】
なお、第一本体１０を、接続軸３０を中心として回転すると、図２に示すような中間的な状態を経て、図３に示すように携帯電話１が折り畳まれる。折り畳まれた時の第一本体１０および第二本体２０のなす角度は０度である。図３は、折り畳まれた携帯電話１の平面図（図３（ａ））、側面図（図３（ｂ））である。
【００３３】
ここで、表示部１２は、第一本体３０の表側の面にあり続ける。すなわち、回転した第一本体１０の表裏関係（表側に表示部１２がある）は一定に保たれる。通常の折り畳み式の携帯電話は折り畳むと、表示部１２が操作キー２２とが向かい合うようになる。すなわち、通常の折り畳み式の携帯電話は折り畳むと、折り畳む前には表側にあった表示部１２が裏側にあるようになってしまう。この点で、本発明の実施形態にかかる携帯電話１は、通常の折り畳み式の携帯電話と異なる。
【００３４】
また、折り畳まれた携帯電話１においては、第一本体１０と第二本体２０とが向かい合っている。このとき、第一本体１０の裏面１０ｂと第二本体２０の表面２０ａとが向かい合っている。よって、鏡１４と操作キー２２とが向かい合う。これにより、鏡１４と操作キー２２とは外部から見えなくなる。また、第一本体１０の表面１０ａおよび第二本体２０の裏面２０ｂは外部から見えるようになっている。しかも、第一本体１０の表面１０ａを上側とすれば、第二本体２０の裏面２０ｂは下側となる。よって、表示部１２が上に、カメラレンズ２４が下に配置されることになる。
【００３５】
図４は、折り畳まれた携帯電話１の底面図（図４（ａ））、第二本体２０をやや回転させたときの携帯電話１の底面図（図４（ｂ））である。折り畳まれた携帯電話１を裏面２０ｂ側から見ると、カメラレンズ２４とシャッター２６とが見える（図４（ａ）参照）。ここで、図４（ａ）の矢印方向に第二本体２０を回転させると、カメラレンズ２４のすぐ脇に鏡１４が見える（図４（ｂ）参照）。
【００３６】
次に、第一の実施形態の動作を説明する。
【００３７】
まず、携帯電話１を電話として使用する際の動作を説明する。携帯電話１を電話として使用する際には、図１に示すように、携帯電話１を開いて使用する。ユーザは、表示部１２に表示されるメッセージを読む。また、操作キー２２を押して電話番号等を入力する。さらに、第二本体２０を持って、第一本体１０の表面１０ａに配置されたスピーカ１６を耳に、第二本体２０の表面２０ａの下端に配置されたマイク２８を口に近づける。スピーカ１６からは電話の相手の音声を聞くことができ、マイク２８を利用して電話の相手へ自分の音声を聞かせることができる。よって、通話が可能である。
【００３８】
次に、携帯電話１の鏡１４を姿見等に利用する際の動作を説明する。
【００３９】
携帯電話１を姿見として使用する際には、図１に示すように、携帯電話１を開いて使用する。そして、第二本体２０を持って、第一本体１０の裏面１０ｂを自身に向ける。すると、鏡１４が自身を向くので、鏡１４を姿見に利用できる。
【００４０】
次に、携帯電話１の電話としての利用を止めて携帯する際の動作を説明する。開いた携帯電話１（図１参照）を、第一本体１０を接続軸３０を中心に回転し、図２に示すような中間的な状態を経て、折り畳む（図３参照）。
【００４１】
次に、携帯電話１による撮影の際の動作を説明する。ただし、被写体は自分自身ではないものとする。
【００４２】
まず、携帯電話１を折り畳んでおく（図３参照）。使用者は被写体の方を向いて、カメラレンズ２４を被写体に向ける（図４（ａ）参照）。このとき、表示部１２が使用者の方を向く（図３（ａ）参照）。表示部１２は、カメラレンズ２４により撮影されるであろう被写体の画像を表示する。使用者は、表示部１２に表示された画像が撮影を望むものであることを確認してから、シャッター２６を押す。これにより、被写体の撮影が行われる。
【００４３】
最後に、携帯電話１の撮影の際の動作を説明する。ただし、被写体は自分自身であるとする。
【００４４】
まず、携帯電話１を折り畳んでおく（図３参照）。使用者は、被写体である使用者自身の方にカメラレンズ２４を向ける（図４（ａ）参照）。このとき、第二本体２０を図４（ａ）に示す矢印方向に少し回転させる。すると、カメラレンズ２４の脇に、鏡１４が見える（図４（ｂ）参照）。したがって、鏡１４により自身の位置を確認できる。使用者は、鏡１４に自身の姿が映ることを確認してから、シャッター２６を押す。これにより、被写体である使用者自身の撮影が行われる。
【００４５】
第一の実施形態によれば、鏡１４を小型化せずとも汚れにくい。
【００４６】
携帯電話１を電話として使用する際には第二本体２０を持つので、第一本体１０に配置された鏡１４は手の皮脂等による汚れが生じにくい。また、耳が近づく第一本体１０の表面１０ａと、口が近づく第二本体の表面２０ａとは、耳の皮脂や口から出る唾液により汚れやすい。しかし、第一本体１０の裏面１０ｂに配置された鏡１４は、耳の皮脂や口から出る唾液による汚れが生じにくい。
【００４７】
携帯電話１を姿見として使用する際には第二本体２０を持つので、第一本体１０に配置された鏡１４は手の皮脂等による汚れが生じにくい。
【００４８】
携帯電話１の電話としての利用を止めて携帯する際には、携帯電話１は折り畳まれ、鏡１４と操作キー２２とが向かい合う（図３参照）。これにより、鏡１４と操作キー２２とは外部から見えなくなる。よって、鏡１４は外部からの汚れを受けにくい。
【００４９】
なお、近年、折り畳んだまま使用できる携帯電話１が普及しつつある。これは、イヤホン、マイクおよびスティック状ディスプレイがＢｌｕｅｔｏｏｔｈ通信ユニットを介して携帯電話１と通信を行うものである。イヤホンにより相手の音声を聞き、マイクにより自分の音声を相手に聞かせ、スティック状ディスプレイによりメール等のメッセージを見る。これにより、携帯電話１を折り畳んだまま、電話、メール受信等が可能になる。このような携帯電話１の場合、携帯電話１を折り畳んで使用する際に鏡１４と操作キー２２とが外部から見えなくなり、鏡１４が外部からの汚れを受けにくい。よって、折り畳んだまま使用できる携帯電話１を本実施形態のような構成にすることは、使用状態において鏡１４の汚れを防ぐことになり、特に好ましい。
【００５０】
携帯電話１の撮影の際は、鏡１４は外から見えないか（図４（ａ）参照）、見えてもほんのわずかしか見えない（図４（ｂ）参照）ので、鏡１４は外部からの汚れを受けにくい。
【００５１】
さらに、第一の実施形態によれば、携帯電話１を使用者の好みに応じてデザインしやすい。
【００５２】
カメラレンズ２４は撮影を容易にするために目立つ位置に配置されている。よって、カメラレンズ２４の脇にシールなどを貼ることができれば携帯電話１を使用者の好みに応じてデザインできる。ここで、裏面２０ｂにおいてカメラレンズ２４の脇に鏡１４があるわけではないため、この部分にシールなどを貼ることができる。よって、携帯電話１を使用者の好みに応じてデザインできる。
【００５３】
従来の携帯電話においては、カメラのレンズ脇に小型の鏡が実装されているものがある。この場合、カメラのレンズ脇にシールなどを貼ることができない。なお、カメラのレンズ脇から鏡を離せば、カメラのレンズ脇にシールなどを貼ることは可能である。しかし、鏡が小型なので自身の位置確認ができなくなってしまう。よって、カメラのレンズ脇に小型の鏡がある従来の携帯電話と比べても、第一の実施形態の携帯電話１は使用者の好みに応じてデザインしやすい。
【００５４】
しかも、第一の実施形態によれば、第二本体２０を図４（ａ）に示す矢印方向に少し回転させるだけで、カメラレンズ２４とカメラレンズ２４の近傍の鏡１４とを同時に使用できる（図４（ｂ）参照）。これにより、使用者自身の撮影の際の自身の位置確認のために鏡１４を利用できる。
【００５５】
なお、鏡１４を使用者自身の撮影の際の自身の位置確認のためにのみ使用できれば良い場合は、第一本体１０と第二本体２０とが向かい合っている場合（図４（ａ）参照）に、カメラレンズ２４の真下にくる裏面１０ｂの部分に小型化した鏡１４を配置してもよい。このような変形例における底面図を図５に示す。図５に示すように、第二本体２０を少し回転すれば、カメラレンズ２４とカメラレンズ２４の近傍の鏡１４とを同時に使用できる。これによれば、使用者の好みに応じてデザインしやすい携帯電話１を実現できる。
【００５６】
第二の実施形態
第二の実施形態は、第一本体１０と第二本体２０とが向かい合っている時に、第二本体２０に覆われない露出部分１０ｃに鏡１２が配置されている点が第一の実施形態と異なる。
【００５７】
第二の実施形態にかかる携帯電話１は、第一本体１０、第二本体２０、接続軸３０を備える。以下、第一の実施形態と同様な部分は同一の番号を付して説明を省略する。
【００５８】
第二の実施形態にかかる携帯電話１が開いている場合の平面図、側面図、底面図は第一の実施形態と同様である。
【００５９】
図６は、第二の実施形態にかかる折り畳まれた携帯電話１の側面図である。第一本体１０は第二本体２０よりも長い。このため、第一本体１０と第二本体２０とが向かい合っている時に、第二本体２０に覆われない露出部分１０ｃが生じる。露出部分１０ｃは、裏面１０ｂの一部である。
【００６０】
図７は、第二の実施形態にかかる折り畳まれた携帯電話１の底面図である。鏡１４は裏面１０ｂの大きさにほぼ等しいため、露出部分１０ｃにおいて鏡１４が見えている。なお、鏡１４を露出部分１０ｃにのみ配置するようにすることも可能である。結局、鏡１４の少なくとも一部分が露出部分１０ｃに配置されていればよい。
【００６１】
表示部１２、スピーカ１６、操作キー（操作部）２２、カメラレンズ２４、シャッター２６、マイク２８は第一の実施形態と同様である。
【００６２】
次に、第二の実施形態の動作を説明する。
【００６３】
まず、携帯電話１の撮影の際の動作を説明する。ただし、被写体は自分自身であるとする。
【００６４】
まず、携帯電話１を折り畳んでおく（図６参照）。使用者は、被写体である使用者自身の方にカメラレンズ２４を向ける（図７参照）。このとき、カメラレンズ２４の近傍の露出部分１０ｃに鏡１４が見える。したがって、鏡１４により自身の位置を確認できる。使用者は、鏡１４に自身の姿が映ることを確認してから、シャッター２６を押す。これにより、被写体である使用者自身の撮影が行われる。
【００６５】
なお、携帯電話１を電話として使用する際の動作、鏡１４を姿見等に利用する際の動作、携帯電話１の電話としての利用を止めて携帯する際の動作、携帯電話１による撮影の際の動作（被写体は自分自身ではない）は第一の実施形態と同様である。
【００６６】
第二の実施形態によれば、第一の実施形態と同様な効果を奏する。ただし、携帯電話１の電話としての利用を止めて携帯する際には、鏡１４と操作キー２２とが向かい合うものの（図６参照）、鏡１４は露出部分１０ｃに見えている（図７参照）。しかし、露出部分１０ｃはさほど大きくないため、鏡１４は汚れを受けにくい。しかも、携帯電話１を携帯する際に汚れやすい部分は、表面１０ａと裏面２０ｂである。例えば、携帯電話１を手に持って携帯する場合は、表面１０ａと裏面２０ｂに手の皮脂が付着してしまう。一方、露出部分１０ｃは、さほど手が触れる機会が少ないため、鏡１４は汚れを受けにくい。
【図面の簡単な説明】
【図１】本発明の第一の実施形態にかかる携帯電話１の平面図（図１（ａ））、側面図（図１（ｂ））、底面図（図１（ｃ））である。
【図２】携帯電話１の折り畳みの中間状態を示す平面図である。
【図３】携帯電話１の折り畳んだ状態を示す平面図（図３（ａ））、側面図（図３（ｂ））である。
【図４】折り畳まれた携帯電話１の底面図（図４（ａ））、第二本体２０をやや回転させたときの携帯電話１の底面図（図４（ｂ））である。
【図５】本発明の第一の実施形態の変形例にかかる携帯電話１の底面図である。
【図６】第二の実施形態にかかる折り畳まれた携帯電話１の側面図である。
【図７】第二の実施形態にかかる折り畳まれた携帯電話１の底面図である。
【符号の説明】
１　携帯電話
１０　第一本体
１０ａ表面
１０ｂ裏面
１０ｃ　露出部分
１２　表示部
１４　鏡
１６　スピーカ
２０　第二本体
２０ａ　表面
２０ｂ　裏面
２２　操作キー（操作部）
２４　カメラレンズ
２６　シャッター
２８　マイク
３０　接続軸
【図１】
2004104205.tif 000003
【図２】
2004104205.tif 000004
【図３】
2004104205.tif 000005
【図４】
2004104205.tif 000006
【図５】
2004104205.tif 000007
【図６】
2004104205.tif 000008
【図７】
2004104205.tif 000009